(57)【要約】【課題】所定の装置等に連続的に供給することができる構造を有する鉄筋用の結束線を形成すること。【解決手段】複数からなる鉄筋を組み立てるべく該鉄筋の交叉部分または継手部分を結合させるための鉄筋用結束線であって、該鉄筋用結束線には、結合される複数の鉄筋が配置されるループ部と、該ループ部に複数の鉄筋が配置された状態で捻り合わせることにより該鉄筋どうしを結合させる捻合部を形成し、複数の前記鉄筋用結束線を連接させた構造にすることで、連続性を有する鉄筋用結束線が得られる。【選択図】図９
2008121187.tif 000002
【特許請求の範囲】
【請求項１】
複数からなる鉄筋を組み立てるべく該鉄筋の交叉部分または継手部分を結合させるための鉄筋用結束線であって、
該鉄筋用結束線には、結合される複数の鉄筋が配置されるループ部と、該ループ部に複数の鉄筋が配置された状態で捻り合わせることにより該鉄筋どうしを結合させる捻合部を形成し、
複数の前記鉄筋用結束線を連接させた構造であること
を特徴とする連接式鉄筋用結束線。
【請求項２】
前記鉄筋用結束線の連接は、
接着によること
を特徴とする請求項１に記載の連接式鉄筋用結束線。
【請求項３】
複数からなる鉄筋を組み立てるべく該鉄筋の交叉部分または継手部分を結合させるための鉄筋用結束線を製造する方法であって、
少なくとも複数の長手板状の結束線材を平面上に連接させて接着する工程と、
該接着された長手板状の結束線材を折り曲げてループ部と捻合部とを形成する工程とからなり、
連接された鉄筋用結束線を形成すること
を特徴とする連接式鉄筋用結束線の製造方法。
【請求項４】
前記長手板状の結束線材は、
板部材を長手板状に切断して形成したこと
を特徴とする請求項３に記載の連接式鉄筋用結束線の製造方法。
【発明の詳細な説明】
【技術分野】
【０００１】
本発明は、例えば、結束線を用いて複数の鉄筋を結合させることができる所定の装置等に装着させることにより、容易に連続的に結束作業をできるようにするためのホッチキスのステープル様に連接された鉄筋用の結束線と、その製造方法に関するものである。
【背景技術】
【０００２】
従来、この種の鉄筋用の結束線は、例えば、鉄筋からなる直線状の縦筋と、円弧状の横筋とを縦横に組んだ少なくとも３個の円弧面状の組立体を組み立てる場合において、これら縦筋と横筋との交叉部分に結束線を緊結させ、縦筋と横筋とを結合させる際に用いられている（特許文献１参照）。
【０００３】
そして、この種の鉄筋用の結束線としては、例えば、鉄筋組立に際し配筋の交叉部分および継手部分を緊結するため２つ折りにして用いる鉄筋工事用結束線において、２つ折り部分と両端部とを着色被覆したことを特徴とする鉄筋工事用結束線がある（特許文献２参照）。
【０００４】
この特許文献２の公知技術においては、使用前の結束線を１本だけで保管等するばかりでなく、該結束線を複数本束ね、この複数本束ねた結束線束から結束線を１本づつ抜き取って使用することが示されている。
【０００５】
【特許文献１】特開２００６−１０４７９２号公報
【特許文献２】特開２０００−３３６８４４号公報
【発明の開示】
【発明が解決しようとする課題】
【０００６】
しかしながら、前記特許文献１の公知技術においては、使用前の結束線を複数本束ねて保管等するものであるが、これは単に複数本のバラバラの結束線をロープ等を用いて束ねておくだけにすぎず、実際に使用する際は、結束線束から結束線を１本づつ抜き取って使用することから、保管上の都合等で複数本の結束線を束ねているだけで、実質的に１本づつの単体の結束線にすぎないものであり、結束線束から結束線を１本づつ抜き取る際にも、連続した状態の結束線を順番に連続的に使用するというものではなく、結束線束から適当に１本づつ抜き取って使用するだけである。
【０００７】
また、複数本の結束線をロープ等を用いて束ねておくだけであるため、結束線を束ねる当初は整理して連続させて束ねておいたとしても、これら結束線どうしが連接、即ち連続した状態で接続（連装）されているのではないため、結束線を１本づつ抜き取って使用することによって前記ロープ等による保持が緩み、その整理・連続した状態は維持されなくなるのである。
【０００８】
要するに、前記特許文献１の公知技術においては、使用前の結束線を保管上の都合等で複数本束ねているだけであって、その束ねられた結束線を連続的に使用することを目的としたものではないことから、その連続性が維持されるものではなく、例えば、所定の装置等を用いて結束線を緊結させて鉄筋どうしを結合させるような場合には、その結束線束が連続性を有していないため、結束線束から抜き取った結束線を前記所定の装置等に１本づつ装着させるということになるのである。
【０００９】
従って、例えば、所定の装置等に連続的に供給することができる構造を有する鉄筋用の結束線を形成するということに解決しなければならない課題を有している。
【課題を解決するための手段】
【００１０】
上記した従来例の課題を解決する具体的手段として本発明に係る第１の発明として、複数からなる鉄筋を組み立てるべく該鉄筋の交叉部分または継手部分を結合させるための鉄筋用結束線であって、該鉄筋用結束線には、結合される複数の鉄筋が配置されるループ部と、該ループ部に複数の鉄筋が配置された状態で捻り合わせることにより該鉄筋どうしを結合させる捻合部を形成し、複数の前記鉄筋用結束線を連接させた構造であることを特徴とする連接式鉄筋用結束線を提供するものである。
【００１１】
この第１の発明において、前記鉄筋用結束線の連接は、接着によることを付加的な要件として含むものである。
【００１２】
また、第２の発明として、複数からなる鉄筋を組み立てるべく該鉄筋の交叉部分または継手部分を結合させるための鉄筋用結束線を製造する方法であって、少なくとも複数の長手板状の結束線材を平面上に連接させて接着する工程と、該接着された長手板状の結束線材を折り曲げてループ部と捻合部とを形成する工程とからなり、連接された鉄筋用結束線を形成することを特徴とする連接式鉄筋用結束線の製造方法を提供するものである。
【００１３】
この第２の発明において、前記長手板状の結束線材は、板部材を長手板状に切断して形成したことを付加的な要件として含むものである。
【発明の効果】
【００１４】
本発明の第１の発明に係る連接式鉄筋用結束線は、複数からなる鉄筋を組み立てるべく該鉄筋の交叉部分または継手部分を結合させるための鉄筋用結束線であって、該鉄筋用結束線には、結合される複数の鉄筋が配置されるループ部と、該ループ部に複数の鉄筋が配置された状態で捻り合わせることにより該鉄筋どうしを結合させる捻合部を形成し、複数の前記鉄筋用結束線を連接させた構造であるため、隣接する鉄筋用結束線どうしが略一体化した状態になって、保管・運搬等において整理・連続した状態が維持されると共に、複数の鉄筋を結合させることができる所定の装置等に装着させて使用する際においても、最端部に位置した鉄筋用結束線から順番に装着させるようにすることにより、その連接式鉄筋用結束線における連続性が維持され、前記所定の装置等に順次連続的に容易に供給して装着できるようになるという優れた効果を奏する。
【００１５】
また、第２の発明に係る連接式鉄筋用結束線の製造方法は、複数からなる鉄筋を組み立てるべく該鉄筋の交叉部分または継手部分を結合させるための鉄筋用結束線を製造する方法であって、少なくとも複数の長手板状の結束線材を平面上に連接させて接着する工程と、該接着された長手板状の結束線材を折り曲げてループ部と捻合部とを形成する工程とからなり、連接された鉄筋用結束線を形成することにより、鉄筋を結合させることができる所定の装置等に連続的に供給できる連接式鉄筋用結束線を容易に製造できるという優れた効果を奏する。
【発明を実施するための最良の形態】
【００１６】
次に、本発明を具体的な実施の形態に基づいて詳しく説明する。
本発明の実施の形態に係る連接式鉄筋用結束線を図１乃至図８を用いて説明する。まず、連接式鉄筋用結束線を製造するための原材料となる長手板状の結束線材を製造する方法の一例として、図１に、長手板状の結束線材の原材料となる金属製の板部材１を略示的に示した平面図を示してある。
【００１７】
この金属としては、例えば、ミガキ鉄板またはミガキ鋼板等の金属を使用することができる。より具体的には、例えば、ＪＩＳ  Ｇ  ３１４１の金属鋼板や、ＪＩＳ  Ｇ  ３５３２の金属鉄線等を使用することが良く、特に金属鋼板の種類がＳＰＣＥであり、引張強度が、略２５０Ｎ／ｍｍ２以上であり、伸び率が、略３０％であり、深絞り用の鋼板を使用することが好ましい。なお、長手板状の結束線材は、下記に示す方法により製造されたものを使用することに限定するものではなく、例えば、丸線材等を長手板状に圧延した線材等を使用しても良い。
【００１８】
板部材１としては、例えば、図１上でみて上下方向（縦方向）の長さが２２０ｍｍ程度であり、厚さ（板厚）が３．２ｍｍ程度の金属製の板材等を用いることができる。この板部材１には、図１上でみて上下の端部に、図示していないギア等による送り出し用の切欠部２ａ、２ｂが形成されている。なお、板部材１の形状としては、前記長さや厚さに限定されず、適宜の大きさの部材を用いればよい。
【００１９】
これら切欠部２ａ、２ｂは、対称に形成されているものではなく、切欠部２ｂは切欠部２ａに対して１／４周期ずらした状態で形成されている。なお、この切欠部２ｂを切欠部２ａに対してずらす周期としては、前記１／４周期ずらした状態でなくとも、例えば、同一周期または１／２周期等に適宜設定すれば良い。
【００２０】
この板部材１を図示していない金型を用いた形成装置に配設し、該板部材１の第１の所定の部位４（後に長手板状の結束線材の１組が形成される部分）に、図２及び図３に示したように金型の雄型３を押し当てて押圧する。この雄型３の縦方向の端部３ａは、所定の角度、例えば、８０°乃至４５°程度の傾斜をもって形成してある。
【００２１】
この雄型３により板部材１を押圧することで、後に長手板状の結束線材を形成するものであり、その雄型３の幅は、形成される長手板状の結束線材の幅に形成するものであるが、前記雄型３の長さは、後に雄型３の端部３ａが押圧した傾斜部等の不要部を切断処理することから、形成される長手板状の結束線材の長さより稍長めに形成させている。
【００２２】
また、板部材１の第１の所定の部位４に対する雄型３による押圧は、前記板部材１の板厚より浅い長さ、例えば、板部材１の板厚が３．２ｍｍである場合に２ｍｍ程度のみ押圧して、前記板厚分を完全に押し切らないようにしている。
【００２３】
このように、雄型３の縦方向の端部３ａを傾斜状に形成すると共に、前記雄型３による押圧を対象とする板部材１の板厚よりも浅い長さのみとして完全に押し切らないようにしているため、前記雄型３により押圧された前記板部材１の第１の所定の部位４は、幅方向（図面上の左右方向）の被押圧部４ａは切断されるが、長さ方向（図面上の上下方向）の被押圧部４ｂは前記端部３ａに対応した部分が傾斜状に押し出され、切断されずに残存するようになる。つまり、第１の所定の部位４は、幅方向の被押圧部４ａは切断された状態であり、長さ方向の被押圧部４ｂは接続した状態が維持されているのである。
【００２４】
なお、例えば、図示していない雌型における縦方向（長手方向）の長さを、雄型３における縦方向（長手方向）の長さよりも稍長く形成し、該雄型３を前記雌型に嵌合させた際に、これら雄型３の端部と雌型の内側との間に間隙を形成するようにした場合には、前記雄型３の縦方向の端部３ａを９０°に形成しても良い。つまり、雄型３により第１の所定の部位４を押圧した際に、長さ方向の被押圧部４ｂが接続した状態が維持できるようにすれば、いずれの形状であっても良いのである。
【００２５】
そして、この雄型３は、板部材１に形成された切欠部２ａの周期に連動して上下に昇降するようになっている。つまり、切欠部２ａを周期的に形成させることにより、図４に示したように、雄型３によって押圧される板部材１の第１の所定の部位４が等間隔に設けられることになるのである。なお、この雄型３は、１つ以上設けられていれば良いが、生産の効率性等を考慮し、例えば、２つ以上の複数設けても良い。
【００２６】
このように平面状の板部材１から押し出され、被押圧部４ｂが接続した状態で長手板状に形成された第１の所定の部位４は、図示していない平面化装置等により板部材１から押し出された反対側（底面側）から再度平面位置まで押圧されて押し戻され、板部材１の全体が略平面状に戻される。
【００２７】
つまり、この平面化装置等により平面化処理を施された板部材１は、第１の所定の部位４における幅方向の被押圧部４ａが切断された状態であること以外は、前記雄型３による押圧処理を行う以前と略同様の状態に戻り、その板部材１の全体が略平面状を呈する状態に戻されるのである。
【００２８】
また、この平面化処理を施す際には、稍伸びた状態になっている被押圧部４ｂが平面位置まで押し戻されるため、該被押圧部４ｂにおける伸び分の寸法が元の寸法に戻らず、該被押圧部４ｂの伸び分が板部材１における被押圧部４ｂと切欠部２ａ及び切欠部２ｂとの間隙を押し出すことがある。そのため、前記被押圧部４ｂの伸び分における前記被押圧部４ｂと切欠部２ａ及び切欠部２ｂとの間隙の押し出しがスムーズに行われるように、予め、前記被押圧部４ｂと切欠部２ａ及び切欠部２ｂとの間隙を稍狭く形成しておく、例えば、略板厚と同程度の長さに形成しておくことが好ましい。
【００２９】
次に、この略平面状に戻された板部材１に対して、該板部材１に形成された切欠部２ｂの周期に連動させて前記雄型３を上下に昇降させて、図５に示したように、前記板部材１の第２の所定の部位５に対する押圧処理を行う。この第２の所定の部位５についても、前記第１の所定の部位４と同様に幅方向の被押圧部５ａは切断された状態であるが、長さ方向の被押圧部５ｂは接続した状態で形成される。そして、この第２の所定の部位５についても、前記第１の所定の部位４と同様に平面化処理を施し、板部材１の全体が略平面状を呈する状態に戻される。
【００３０】
このように、板部材１に第１の所定の部位４を形成した状態で、該第１の所定の部位４と板部材１の原部材とが接続している近傍を切断することにより、前記第１の所定の部位４を１組の長手板状の結束線材６として形成させることができるし、また、前記板部材１に第１の所定の部位４と第２の所定の部位５とを形成した状態で、これら第１の所定の部位４及び第２の所定の部位５が板部材１の原部材と接続している近傍を切断することにより、これら第１の所定の部位４及び第２の所定の部位５を長手板状の結束線材６として２組形成させることができ、更に、前記第１の所定の部位４と第２の所定の部位５との間隔を、該第１の所定の部位４と同幅にすることによって、これら第１の所定の部位４と第２の所定の部位５との間の部分をも長手板状の結束線材６としてとして用いることができるようになって、該長手板状の結束線材６を４組形成できるようになるのである。
【００３１】
本発明においては、このように板部材１から切断した状態の単体の長手板状の結束線材６を用いても良いが、後の加工工程をより容易にするために、ここでは、単体の長手板状の結束線材６に板部材１から切断する前である、板部材１の全体を平面化処理した状態の長手板状の結束線材６を用いて説明する。つまり、長手板状の結束線材６を加工する工程において、まず、複数の長手板状の結束線材６を平面上に連続的に並べる作業を要するが、前記単体の長手板状の結束線材６に板部材１から切断する前の状態であれば、この作業を省略することができるのである。
【００３２】
複数の長手板状の結束線材６を平面上に連続的に接触させて並べた状態で、これら長手板状の結束線材６の間に接着剤を塗布して接着させ、これら複数の長手板状の結束線材６を平面上に連接、即ち連続した状態で接続させる。この接着剤としては、運搬等では接着状態を維持でき、最端部に位置した長手板状の結束線材６に対して力を加えた際に、該力を加えられた長手板状の結束線材６が容易に外れる程度の接着力を有する、例えば、ホッチキスのステープル等に使用されるような接着剤等を使用することができ、また、同程度の接続力を有する方法であれば、必ずしも接着剤を用いなくてはならないというものではない。
【００３３】
次に、この連接した長手板状の結束線材６に対し、例えば、所定の形状の型等を用いて結束作業を容易に行える状態の形状に形成する。この所定の形状の型としては、例えば、図６及び図７に示したような内側形状を形成するためのループ部内側形状形成用型７ａと、該ループ部内側形状形成用型７ａに沿い外側形状を形成するためのループ部外側形状形成用型７ｂとからなるループ部形成用型７を用いることができる。
【００３４】
このループ部形成用型７を用いて長手板状の結束線材６を加工する際には、図６に示したように、長手板状の結束線材６をループ部形成用型７の所定位置にセットした状態で、ループ部内側形状形成用型７ａを下降させる。
【００３５】
長手板状の結束線材６がループ部内側形状形成用型７ａに接すると、該ループ部内側形状形成用型７ａの下降による押圧により前記長手板状の結束線材６が押し曲げられるようになる。
【００３６】
更にループ部内側形状形成用型７ａが下降し、ループ部外側形状形成用型７ｂ内に収容される所定の位置に達すると、該ループ部外側形状形成用型７ｂが長手板状の結束線材６を外側から挟み込んで押圧し、図７に示したように、該長手板状の結束線材６がループ部内側形状形成用型７ａとループ部外側形状形成用型７ｂからなるループ部形成用型７に沿って折り曲げられ、ループ部６ａと、該ループ部６ａの両端部寄りの捻合部６ｂとが形成される。
【００３７】
このように、長手板状の結束線材６を折り曲げてループ部６ａと捻合部６ｂとを形成させた状態で、前記第１の所定の部位４及び第２の所定の部位５（いずれも長手板状の結束線材６）が板部材１の原部材と接続している近傍を切断することにより、不要部を排除して、図８に示したように、連接（連装）された鉄筋用結束線６ｃ、即ち連接式鉄筋用結束線６ｄ（連接されて装備された連装状態の鉄筋用結束線）を製造することができる。なお、ループ部６ａの大きさ・形状や、捻合部６ｂの長さは、結合させる鉄筋の太さ等により適宜設定すれば良い。
【００３８】
この連接式鉄筋用結束線６ｄにおいては、接着等の手段により接続されて連接した状態であり、隣接する鉄筋用結束線６ｃどうしが略一体化した状態であるため、保管・運搬等ではその隣接した状態が維持され、整理・連続した状態が維持される。そのため、鉄筋用結束線６ｃを用いて複数の鉄筋を結合させることができる図示していない所定の装置等に装着させる際に、最端部に位置した鉄筋用結束線６ｃから順番に装着させるようにすることにより、その連接式鉄筋用結束線６ｄにおける連続性が維持され、前記所定の装置等に順次連続的に容易に装着できるようになるのである。
【００３９】
次に、このように形成された連接式鉄筋用結束線６ｄの鉄筋用結束線６ｃを用いて、複数からなる鉄筋を組み立てる概要を、図９を用いて説明する。複数からなる鉄筋、例えば、２本の鉄筋８ａ、８ｂの交叉部分に鉄筋用結束線６ｃを設け、これら鉄筋８ａ、８ｂの交叉部分がループ部６ａの内側に位置するように配置させる。
【００４０】
ループ部６ａを鉄筋８ａ、８ｂに配置させた状態で、捻合部６ｂを捻り合わせて緊結させることにより、前記ループ部６ａが鉄筋８ａ、８ｂに密着し、鉄筋用結束線６ｃにより鉄筋８ａと鉄筋８ｂとを結合させることができるようになる。また、鉄筋用結束線６ｃは、鉄筋８ａ、８ｂの交叉部分だけでなく、例えば、継手部分に設けて鉄筋８ａと鉄筋８ｂとを結合・連結させることもできる。
【図面の簡単な説明】
【００４１】
【図１】本発明に係る連接式鉄筋用結束線を製造する上で、長手板状の結束線材の原材料となる金属製の板部材を略示的に示した平面図である。
【図２】図１の板部材に金型の雄型を押し当てて長手板状の結束線材の略形状を形成させた状態を略示的に示した断面図である。
【図３】図２の要部を拡大し略示的に示した拡大断面図である。
【図４】図１の板部材に第１の所定の部位にあたる長手板状の結束線材の略形状が形成させた状態を略示的に示した平面図である。
【図５】図４の板部材に更に第２の所定の部位にあたる長手板状の結束線材の略形状が追加して形成させた状態を略示的に示した平面図である。
【図６】本発明に係る連接式鉄筋用結束線を製造する上で、長手板状の結束線材を折り曲げてループ部と捻合部とを形成させる前の状態を略示的に示した正面図である。
【図７】本発明に係る連接式鉄筋用結束線を製造する上で、長手板状の結束線材を折り曲げてループ部と捻合部とを形成させた状態を略示的に示した正面図である。
【図８】本発明に係る連接式鉄筋用結束線を略示的に示した斜視図である。
【図９】本発明に係る連接式鉄筋用結束線の鉄筋用結束線を用いて複数からなる鉄筋を結合させる状態を略示的に示した正面図である。
【符号の説明】
【００４２】
１  金属製の板部材
２ａ、２ｂ  板部材に形成された切欠部
３  金型の雄型
３ａ  雄型の縦方向の端部
４  板部材の第１の所定の部位
４ａ、５ａ  切断される幅方向の被押圧部
４ｂ、５ｂ  残存する長さ方向の被押圧部
５  板部材の第２の所定の部位
６  長手板状の結束線材
６ａ  鉄筋用結束線のループ部
６ｂ  鉄筋用結束線の捻合部
６ｃ  鉄筋用結束線
６ｄ  連接式鉄筋用結束線
７  ループ部形成用型
７ａ  ループ部内側形状形成用型
７ｂ  ループ部外側形状形成用型
８ａ、８ｂ  鉄筋
【図１】
2008121187.tif 000003
【図２】
2008121187.tif 000004
【図３】
2008121187.tif 000005
【図４】
2008121187.tif 000006
【図５】
2008121187.tif 000007
【図６】
2008121187.tif 000008
【図７】
2008121187.tif 000009
【図８】
2008121187.tif 000010
【図９】
2008121187.tif 000011